(57)【要約】【課題】同報データを受信する事無く無線通信エリアを離脱しても、エリアを離脱したことを認識することのできる通信装置を提供する。【解決手段】無線処理部４のエリア検出部４２からエリア進入を通知された時点で通信処理管理部３２は通信処理タイマ３１を起動し、無線処理部４と通信処理部３を介して同報通信部２１が受信した同報データに基づいてデータ処理管理部２３はデータ処理タイマ２２を起動し、データ処理部２からデータ処理タイマ開始を通知された場合には、通信処理管理部３２は通信処理タイマ３１をストップし、同報データを受信する事無く無線通信エリアを離脱してデータ処理タイマが起動しなかった場合でも、通信処理タイマ３１がタイムアウトすることによりエリア離脱を認識して無線処理部４に無線通信エリアの再検出を要求する。【選択図】図１ 
2005045579.tif 000002
【特許請求の範囲】
【請求項１】
他の装置と無線通信を行う無線通信手段と、前記無線通信手段を介して同報通信により同報データを受信する同報通信受信手段と、前記同報通信受信手段が受信した同報データに付加されたタイマ値に基づいて動作しタイムアウトを通知するデータ処理タイマと、前記データ処理タイマを起動しタイムアウトすると無線通信エリアから離脱したと判断してエリア離脱を通知するデータ処理管理手段と、前記無線通信の通信フレームを検知することで前記無線通信エリアへの進入を検出するエリア検出手段と、前記無線通信の通信状態に基づいて前記無線通信エリアからの離脱を判定するエリア離脱判定手段と、前記データ処理管理手段からのエリア離脱通知により前記エリア検出手段に前記無線通信エリアの再検出を要求する通信処理管理手段と、を備え、前記エリア検出手段が前記無線通信エリアへの進入を検出することでエリア管理を開始した後、前記エリア管理を終了するまでの間に前記エリア離脱判定手段が前記無線通信エリアから離脱と判定した場合にも、前記通信処理管理手段は、前記エリア検出手段に前記無線通信エリアの再検出を要求することを特徴とする通信装置。
【請求項２】
前記データ処理管理手段が、前記通信処理管理手段に対して、前記データ処理タイマを起動した時点で前記データ処理タイマの開始を通知し、前記通信処理管理手段が、前記データ処理タイマの開始を通知された時点で前記エリア管理を終了することを特徴とする請求項１記載の通信装置。
【請求項３】
前記エリア離脱判定手段は、前記通信処理管理手段の動作を管理する通信処理タイマであり、前記通信処理管理手段が、前記エリア管理の開始により前記通信処理タイマを起動し、前記通信処理タイマがタイムアウトした時点で、前記無線通信エリアからの離脱と判定することを特徴とする請求項１または請求項２に記載の通信装置。
【請求項４】
前記エリア離脱判定手段は、前記通信フレームの受信エラーを検出するフレームエラー検出手段であり、前記エリア管理の開始として前記通信処理管理手段が、前記フレームエラー検出手段に対しフレームエラー検出結果を随時通知することを要求し、前記フレームエラー検出手段のフレームエラー検出結果にもとづいて前記無線通信エリアからの離脱と判定することを特徴とする請求項１または請求項２に記載の通信装置。
【発明の詳細な説明】
【技術分野】
【０００１】
本発明は同報通信受信手段を備え、他の装置と無線通信を行う通信装置に関するものである。
【背景技術】
【０００２】
従来の通信装置は、他の装置とデータを交換し処理するデータ処理部と、データ処理部でのデータ処理のための通信処理を行う通信処理部と、他の装置と無線通信を行いデータの送受信を行う無線処理部とで構成されており、無線通信の移動局として使用される。通信処理部は、無線処理部へあらかじめ通信領域検出要求を送信する。
【０００３】
移動局が基地局の無線通信エリアに進入し、無線処理部が通信フレームを検知して通信領域を検出すると、通信処理部へ対して通信領域検出通知を送信する。通信処理部は、無線処理部から通信領域検出結果を受信すると、無線処理部へ対してリンク確立要求を送信する。通常の双方向通信の場合、基地局は、通信フレームにリンク確立要求送信用スロットを用意する。
【０００４】
移動局の無線処理部は、リンク確立要求送信用スロットにリンク確立要求を割付ける。リンク確立要求送信用スロットからリンク確立要求を受信した基地局は、リンク確立要求に含まれる移動局識別子もとに移動局を指定し、基地局の設定情報を送信する。基地局の設定情報を受信した移動局は、移動局の設定情報を送信する。基地局、移動局共に、他局の設定情報を受信した時点で通信が成立する。
【０００５】
移動局がリンク確立要求を規定回数以上割付けても、基地局が設定情報を送信しなかった場合には、移動局の無線処理部は、通信処理部に対してリンク確立失敗を通知する。リンク確立失敗を通知された通信処理部は、無線処理部へ対して再度、通信領域検出要求を送信する。
【０００６】
基地局が同報通信専用の場合を考える。双方向通信の場合、リンク確立により、基地局と移動局の設定情報を交換するが、同報通信は、リンク確立を行う事無くデータを受信することが出来る。よって同報通信専用基地局は、リンク確立要求を割付けるためのリンク確立要求送信用スロットを用意しないで運用され得る。この場合移動局は、リンク確立要求を送信することが出来ずに送信待ち状態となる。
【０００７】
通信処理部は、同報データを受信すると、データ処理部へ同報データを転送する。データ処理部は、同報データを受信すると、同報データのヘッダ部に含まれるタイマ値を元にデータ処理タイマを起動し、同報データのデータ部の内容をアプリケーション処理部へ転送する。データ処理タイマは、データ処理部が同報データを受信する度に再起動される。
【０００８】
同報データを受信出来なくなり、データ処理タイマがタイムアウトすると、データ処理部はエリア離脱と判断し、通信処理部へエリア離脱を通知する。通信処理部は、データ処理部からのエリア離脱をもとに、無線処理部へ対して再度通信領域検出要求を送信する。無線処理部は、通信領域検出要求を受信すると、リンク確立要求の送信待ち状態を解除し、通信領域の検出を開始する。
【０００９】
以上の動作により、基地局の通信装置は、リンク確立要求送信用スロットを用意せずに同報データを送信し、移動局の通信装置は、同報データを受信してタイマの管理を行い、同報データを受信出来なくなると通信を終了して、再度通信領域の検出を開始する（例え
ば、非特許文献１参照）。
【非特許文献１】「５．８Ｇ＿ＤＳＲＣアプリケーションサブレイヤ詳細技術資料（案）」第０．７０版、財団法人  道路新産業開発機構、２００３年３月発行、P.３−２１〜３−２７
【発明の開示】
【発明が解決しようとする課題】
【００１０】
しかしながら、従来の通信装置においては、移動局が同報専用基地局の無線通信エリアに進入した後に、即座にエリアを出た場合など、無線処理部は通信領域を検出してリンク確立要求の送信待ち受け状態となったが、同報データを受信する事無く無線通信エリアを離脱することがある。
【００１１】
この場合、データ処理部がデータ処理タイマを起動することが出来ず、移動局が無線通信エリアから抜け出した場合であってもエリアを離脱したことを認識出来ないという問題があった。
【００１２】
本発明は、従来の問題を解決するためになされたもので、同報データを受信する事無く無線通信エリアを離脱しても、エリアを離脱したことを認識することのできる通信装置を提供することを目的とする。
【課題を解決するための手段】
【００１３】
本発明の通信装置は、他の装置と無線通信を行う無線通信手段と、無線通信手段を介して同報通信により同報データを受信する同報通信受信手段と、同報通信受信手段が受信した同報データに付加されたタイマ値に基づいて動作しタイムアウトを通知するデータ処理タイマと、データ処理タイマを起動しタイムアウトすると無線通信エリアから離脱したと判断してエリア離脱を通知するデータ処理管理手段と、無線通信の通信フレームを検知することで無線通信エリアへの進入を検出するエリア検出手段と、無線通信の通信状態に基づいて無線通信エリアからの離脱を判定するエリア離脱判定手段と、データ処理管理手段からのエリア離脱通知によりエリア検出手段に無線通信エリアの再検出を要求する通信処理管理手段とを備え、エリア検出手段が無線通信エリアへの進入を検出することでエリア管理を開始した後、エリア管理を終了するまでの間にエリア離脱判定手段が無線通信エリアから離脱と判定した場合にも、通信処理管理手段は、エリア検出手段に無線通信エリアの再検出を要求する構成を有している。
【００１４】
この構成により、同報データを受信する事無く無線通信エリアを離脱しても、エリアを離脱したことを認識することが出来る。
【００１５】
また、本発明の通信装置は、データ処理管理手段が、通信処理管理手段に対して、データ処理タイマを起動した時点でデータ処理タイマの開始を通知し、通信処理管理手段が、データ処理タイマの開始を通知された時点でエリア管理を終了する構成を有している。この構成により、同報通信受信手段は正常に同報データを受信できた場合に、エリア管理を終了してもよいと判断できる。
【００１６】
また、本発明の通信装置は、エリア離脱判定手段が、通信処理管理手段の動作を管理する通信処理タイマであり、通信処理管理手段が、エリア管理の開始により通信処理タイマを起動し、通信処理タイマがタイムアウトした時点で、無線通信エリアからの離脱と判定する構成を有している。この構成により、同報データを受信することなく無線通信エリアを離脱しても、あらかじめ定めた時間経過に基づいてエリア離脱を認識することができる。
【００１７】
さらに、本発明の通信装置は、エリア離脱判定手段が、通信フレームの受信エラーを検出するフレームエラー検出手段であり、エリア管理の開始として通信処理管理手段が、フレームエラー検出手段に対しフレームエラー検出結果を随時通知することを要求し、フレームエラー検出手段のフレームエラー検出結果にもとづいて無線通信エリアからの離脱と判定する構成を有している。
【００１８】
この構成により、同報データを受信することなく無線通信エリアを離脱しても、通信フレームを監視することでエリア離脱を認識することができる。
【発明の効果】
【００１９】
本発明は、エリア検出手段が無線通信エリアへの進入を検出することでエリア管理を開始し、エリア管理を終了するまでの間にエリア離脱判定手段が無線通信エリアから離脱と判定した場合にも、通信処理管理手段がエリア検出手段に無線通信エリアの再検出を要求するにより、同報データを受信する事無く無線通信エリアを離脱しても、エリアを離脱したことを認識することができるという効果を有する通信装置を提供することができるものである。
【発明を実施するための最良の形態】
【００２０】
以下、本発明の実施の形態の通信装置について、図面を用いて説明する。
【００２１】
本発明の第１の実施の形態の通信装置を図１に示し、その動作を示すフロー図を図２、図３に示す。
【００２２】
図１において、通信装置１は、他の装置（図示せず）とデータの交換をし処理するデータ処理部２と、データ処理部２でのデータ処理のための通信処理を行う通信処理部３と、基地局（図示せず）と無線通信を行いデータの送受信を行う無線処理部４と、を備える。
【００２３】
データ処理部２は、無線処理部４を介し同報通信により同報データを受信する同報通信部２１と、同報通信部２１で受信した同報データに付加されたタイマ値に基づいて動作するデータ処理タイマ２２と、データ処理タイマ２２を起動した時点で、通信処理部３に対してデータ処理タイマ開始を通知し、データ処理タイマ２２がタイムアウトするとエリア離脱を通知するデータ処理管理部２３とを備える。
【００２４】
無線処理部４は、基地局と無線通信を行うための無線部４１と、通信処理部３からの通信領域検出要求をもとに無線通信エリアの検出を開始し、通信フレームを検知して無線通信エリアを検出すると、通信処理部３へエリア進入として通信領域検出結果を通知するエリア検出部４２とを備える。
【００２５】
通信処理部３は、無線処理部４のエリア検出部４２からエリア進入を通知された時点で起動し、データ処理部２からデータ処理タイマ開始を通知された場合にはストップするように動作する、エリア離脱判定手段である、通信処理タイマ３１と、通信処理タイマ３１がタイムアウトするか、またはデータ処理部２のデータ処理管理部２３からエリア離脱を通知された時点で無線処理部４のエリア検出部４２に無線通信エリアの再検出を要求する通信処理管理部３２と、無線処理部４からのデータをデータ処理部２へ転送し、データ処理部２からのデータを通信処理部４へ転送する通信部３３とを備える構成である。
【００２６】
以上のように構成された通信装置１について、図２を用いてその動作を説明する。
【００２７】
通信処理管理部３２が、無線処理部４に対して通信領域検出要求を送信する（Ｓ１０１）。通信領域検出要求を受信したエリア検出部４２は、通信領域の検出を開始する（Ｓ１
０２）。エリア検出部４２は、基地局から送信された通信フレームを検知して通信領域を検出すると、通信処理部３へ対して、エリア進入として通信領域検出結果を送信する（Ｓ１０３）。通信領域検出結果を受信した通信処理管理部３２は、通信処理タイマ３１を起動する（Ｓ１０４）。そして無線処理部４へリンク確立要求を送信する（Ｓ１０５）。
【００２８】
基地局は同報専用で運用しており、リンク確立要求送信用スロットを割付けない。よって、リンク確立要求を受信したエリア検出部４２は、リンク確立要求送信用スロットを使用したリンク確立要求の送信を行うことが出来ず、リンク確立要求の送信待ち状態となる（Ｓ１０６）。
【００２９】
通信処理タイマ３１がタイムアウトした場合には（Ｓ１０７のＹ）、通信終了として、無線処理部４に対して再度、通信領域検出要求を送信する（Ｓ１０８）。通信領域検出要求を受信した無線処理部４のエリア検出部４２は、リンク確立要求の送信待ち状態を解除し、通信領域の再検出を開始する（Ｓ１０９）。
【００３０】
無線処理部４は無線部４１を通じて基地局より同報データを受信すると、受信した同報データを通信処理部３へ転送し、通信部３３は、同報データをデータ処理部２へ転送し、同報通信部２１は、同報データを受信する（Ｓ１１０）。
【００３１】
同報通信部２１は、同報データのヘッダ部の情報をデータ処理管理部２３へ転送する。データ処理管理部２３は、同報データのヘッダ部の情報をもとにデータ処理タイマ２２を起動する（Ｓ１１１）。データ処理管理部２３は、データ処理タイマ２２の起動と同時に、通信処理部３へデータ処理タイマ開始を通知する（Ｓ２０１）。
【００３２】
通信処理部３は、データ処理タイマの開始を受信すると、通信処理管理部３２が、既に起動していた通信処理タイマ３１を停止する（Ｓ２０２）。
【００３３】
データ処理タイマ２２がタイムアウトすると（Ｓ２０３のＹ）、データ処理部２はエリア離脱を通知する（Ｓ２０４）。エリア離脱が通知されると、通信処理管理部３２は、通信終了として、無線処理部４に対して再度、通信領域検出要求を送信する（Ｓ１０８）。
【００３４】
通信領域検出要求を受信したエリア検出部４２は、リンク確立要求の送信待ち状態を解除し、通信領域の再検出を開始する（Ｓ１０９）。
【００３５】
データ処理タイマ２２がタイムアウトする前に（Ｓ２０３のＮ）、データ処理部２が、同報データを受信した場合は（Ｓ２０５のＹ）、データ処理タイマ２２をリセットする（Ｓ２０６）。
【００３６】
このような本発明の第１の実施の形態の通信装置によれば、通信処理部３にて、通信処理タイマ３１によりエリア管理を行う通信処理管理部３２を設けることにより、同報データを受信する事無く無線通信エリアを離脱しても、一定時間経過後にエリアを離脱したことを認識することができる。
【００３７】
なお、通信処理タイマ３１に設定するタイマ値については特に規定しないが、同報データのヘッダ部から取得してデータ処理タイマ２２に設定されるタイマ値の最大値と同じ値を設定すると、システム上適切な値を設定することが出来ると考えられる。
【００３８】
次に本発明の第２の実施の形態の通信装置を図４に示し、その動作を示すフロー図を図５、図６に示す。図４において、通信装置５は、他の装置とデータの交換をし処理するデータ処理部２と、データ処理部２でのデータ処理のための通信処理を行う通信処理部６と
、基地局と無線通信を行いデータの送受信を行う無線処理部７と、を備える。
【００３９】
図４において、図１と同じ構成については同じ符号を用い、その説明を省略する。データ処理部２の構成は、本発明の第１の実施の形態と同じであり、説明を省略する。
【００４０】
通信処理部６は、エリア管理の開始要求を送信する通信処理管理部６２と、通信処理管理部６２からのエリア管理の開始要求をもとに、無線処理部７に対して通信フレームのエラー監視の開始要求を送信し、無線処理部７からのフレームエラーの通知をもとに、通信状態を判断し、エリア離脱かどうか判定し、エリア離脱と判定した場合には、通信処理管理部６２へ通知する、エリア離脱判定手段である、フレームエラー管理部６１と、を備える。
【００４１】
無線処理部７は、フレームエラー管理部６１からの通信フレームのエラー監視の開始要求を受信すると、通信フレームのエラー監視を開始し、エラーをする度にその検知結果を通知するフレームエラー検出部７１を、図１の無線処理部４に対し、さらに備える。
【００４２】
以上のように構成された通信装置について、図５、図６を用いてその動作を説明する。
【００４３】
まず、（Ｓ１０１）〜（Ｓ１０３）、（Ｓ１０５）〜（Ｓ１０６）、（Ｓ１０８）〜（Ｓ１１１）、（Ｓ２０１）、（Ｓ２０３）〜（Ｓ２０６）の動作は、本発明の第１の実施の形態と同様であり、同じステップ番号を使用し説明を省略する。（Ｓ１０１）から（Ｓ１０３）まで進み、通信領域検出結果を受信した通信処理管理部６２は、フレームエラー管理部６１に対して、エリア管理の開始要求を送信する。（Ｓ３０１）通信処理部６のフレームエラー管理部６１は、無線処理部７へ対して、通信フレームのエラー監視の開始要求を送信する（Ｓ３０２）。
（Ｓ１０５）（Ｓ１０６）の後、無線処理部７のフレームエラー検出部７１は、通信処理部６から受信した通信フレームのエラー監視の開始要求をもとに、フレームエラーの検出を開始し、エラーを検出する度に通信処理部６に対してエラーの検出を通知する（Ｓ３０３）。
【００４４】
フレームエラー管理部６１は、エラーの検出の通知をもとに、離脱かどうか判定する。フレームエラーを、規定回数連続して受信した場合には、エリア離脱と判定し通信処理管理部６２に対して、エリア離脱を通知する（Ｓ３０４のＹ）。フレームエラーを、規定回数連続して受信する前に（Ｓ３０４のＮ）、無線処理部７が同報データを受信し、受信した同報データを通信処理部６を介してデータ処理部に転送し、（Ｓ１１０のＹ）から（Ｓ１１１）、（Ｓ２０１）へと進む。
【００４５】
通信処理部６において、データ処理タイマの開始を受信した場合には、通信処理部６の通信処理管理部６２は、フレームエラー管理部にフレームエラーの監視終了を要求する（Ｓ３０５）。
【００４６】
なお、以上の説明では、フレームエラーの通知をもとにした離脱判定の方法を、連続したエラー通知の規定回受信としたが、エラー通知の累積など、その他の方法についても同様に実現可能である。
【００４７】
また、通信処理部におけるエリア離脱の判断を、通信処理タイマおよびフレームエラーの検出で構成した例について説明したが、その他のエリア離脱判断方法についても同様に実施可能である。
【産業上の利用可能性】
【００４８】
以上のように、本発明にかかる通信装置は、同報データを受信する事無く無線通信エリアを離脱しても、エリアを離脱したことを認識することが出来るという効果を有し、本発明は同報通信受信手段を備え、他の装置と無線通信を行う通信装置等として有用である。
【図面の簡単な説明】
【００４９】
【図１】本発明の第１の実施の形態における通信装置のブロック図
【図２】本発明の第１の実施の形態における通信装置の動作説明のためのフロー図
【図３】本発明の第１の実施の形態における通信装置の動作説明のためのフロー図
【図４】本発明の第２の実施の形態における通信装置のブロック図
【図５】本発明の第２の実施の形態における通信装置の動作説明のためのフロー図
【図６】本発明の第２の実施の形態における通信装置の動作説明のためのフロー図
【符号の説明】
【００５０】
１、５  通信装置
２  データ処理部
３、６  通信処理部
４、７  無線処理部
２１  同報通信部
２２  データ処理タイマ
２３  データ処理管理部
３１  通信処理タイマ
３２、６２  通信処理管理部
３３  通信部
４１  無線部
４２  エリア検出部
６１  フレームエラー管理部
７１  フレームエラー検出部
【図１】
2005045579.tif 000003
【図２】
2005045579.tif 000004
【図３】
2005045579.tif 000005
【図４】
2005045579.tif 000006
【図５】
2005045579.tif 000007
【図６】
2005045579.tif 000008